【手続補正書】
【提出日】平成18年9月28日(2006.9.28)
【手続補正１】
【補正対象書類名】明細書
【補正対象項目名】特許請求の範囲
【補正方法】変更
【補正の内容】
【特許請求の範囲】
【請求項１】  前景オブジェクトデータの分離により生じた欠落部分を含む背景オブジェクトデータを入力する入力手段と、
前記欠落部分の画像データを前記欠落部分の周囲の画像データの動きに基づいて、前記背景オブジェクトデータとは別のフレームにおける前記欠落部分の画像データに相当する画像データを用いて補間する補間手段とを有することを特徴とする画像処理装置。
【請求項２】  前記補間手段は、
前記背景オブジェクトデータを複数のブロックに分割する分割手段と、
前記分割手段によって分割されたブロックから前記欠落部分の画像データを含むブロックをターゲットブロックとして抽出する抽出手段と、
前記ターゲットブロックの周囲に位置する周囲ブロックの動きを前記背景オブジェクトデータとは別のフレームから検出する検出手段と、
前記周囲ブロックの動きに基づいて前記ターゲットブロックの欠落部分の画像データを生成する生成手段とを有することを特徴とする請求項１に記載の画像処理装置。
【請求項３】  前記補間手段は、補間後、補間された背景オブジェクトデータに欠落部分がある場合、前記補間で用いたフレームとは別のフレームを用いて前記背景オブジェクトデータの欠落部分の補間を行なうことを特徴とする請求項１又は２に記載の画像処理装置。
【請求項４】  前記補間手段によって処理された背景オブジェクトデータを符号化する符号化手段を更に有することを特徴とする請求項１〜３のいずれか１項に記載の画像処理装置。
【請求項５】  画像データを入力する入力手段と、
前記画像データを、前景オブジェクトデータと該前景オブジェクトデータに相当する欠落部分を含む背景オブジェクトデータとに分離する分離手段と、
前記欠落部分を含む背景オブジェクトデータに対して、前記背景オブジェクトデータとは別のフレームを用いて、前記欠落部分に相当する背景オブジェクトデータを生成し、前記生成された背景オブジェクトデータにより前記背景オブジェクトデータの欠落部分を補間する補間手段と、
前記補間手段によって補間された前記背景オブジェクトデータを符号化する第１の符号化手段と、
前記前景オブジェクトデータを符号化する第２の符号化手段とを有することを特徴とする画像処理装置。
【請求項６】  前景オブジェクトデータの分離により生じた欠落部分を含む背景オブジェクトデータを入力する入力工程と、
前記欠落部分の画像データを前記欠落部分の周囲の画像データの動きに基づいて、前記背景オブジェクトデータとは別のフレームにおける前記欠落部分の画像データに相当する画像データを用いて補間する補間工程とを有することを特徴とする画像処理方法。
【請求項７】  前記補間工程は、
前記背景オブジェクトデータを複数のブロックに分割する分割工程と、
前記分割工程によって分割されたブロックから前記欠落部分の画像データを含むブロックをターゲットブロックとして抽出する抽出工程と、
前記ターゲットブロックの周囲に位置する周囲ブロックの動きを前記背景オブジェクトデータとは別のフレームから検出する検出工程と、
前記周囲ブロックの動きに基づいて前記ターゲットブロックの欠落部分の画像データを生成する生成工程とを含むことを特徴とする請求項６に記載の画像処理方法。
【請求項８】  画像データを入力する入力工程と、
前記画像データを、前景オブジェクトデータと該前景オブジェクトデータに相当する欠落部分を含む背景オブジェクトデータとに分離する分離工程と、
前記欠落部分を含む背景オブジェクトデータに対して、前記背景オブジェクトデータとは別のフレームを用いて、前記欠落部分に相当する背景オブジェクトデータを生成し、前記生成された背景オブジェクトデータにより前記背景オブジェクトデータの欠落部分を補間する補間工程と、
前記補間工程によって補間された前記背景オブジェクトデータを符号化する第１の符号化工程と、
前記前景オブジェクトデータを符号化する第２の符号化工程とを有することを特徴とする画像処理方法。
【請求項９】  請求項６〜８のいずれかに１項に記載の画像処理方法をコンピュータに実行させるためのプログラムを記憶したことを特徴とするコンピュータ読み取り可能な記憶媒体。
【手続補正２】
【補正対象書類名】明細書
【補正対象項目名】０００８
【補正方法】変更
【補正の内容】
【０００８】
【課題を解決するための手段】
本発明による画像処理装置においては、前景オブジェクトデータの分離により生じた欠落部分を含む背景オブジェクトデータを入力する入力手段と、前記欠落部分の画像データを前記欠落部分の周囲の画像データの動きに基づいて、前記背景オブジェクトデータとは別のフレームにおける前記欠落部分の画像データに相当する画像データを用いて補間する補間手段とを有する点に特徴を有する。
【手続補正３】
【補正対象書類名】明細書
【補正対象項目名】０００９
【補正方法】変更
【補正の内容】
【０００９】
本発明による他の画像表示装置においては、画像データを入力する入力手段と、前記画像データを、前景オブジェクトデータと該前景オブジェクトデータに相当する欠落部分を含む背景オブジェクトデータとに分離する分離手段と、前記欠落部分を含む背景オブジェクトデータに対して、前記背景オブジェクトデータとは別のフレームを用いて、前記欠落部分に相当する背景オブジェクトデータを生成し、前記生成された背景オブジェクトデータにより前記背景オブジェクトデータの欠落部分を補間する補間手段と、前記補間手段によって補間された前記背景オブジェクトデータを符号化する第１の符号化手段と、前記前景オブジェクトデータを符号化する第２の符号化手段とを有する点に特徴を有する。
【手続補正４】
【補正対象書類名】明細書
【補正対象項目名】００１０
【補正方法】変更
【補正の内容】
【００１０】
本発明による画像処理方法においては、前景オブジェクトデータの分離により生じた欠落部分を含む背景オブジェクトデータを入力する入力工程と、前記欠落部分の画像データを前記欠落部分の周囲の画像データの動きに基づいて、前記背景オブジェクトデータとは別のフレームにおける前記欠落部分の画像データに相当する画像データを用いて補間する補間工程とを有する点に特徴を有する。
【手続補正５】
【補正対象書類名】明細書
【補正対象項目名】００１１
【補正方法】変更
【補正の内容】
【００１１】
本発明による他の画像処理方法においては、画像データを入力する入力工程と、前記画像データを、前景オブジェクトデータと該前景オブジェクトデータに相当する欠落部分を含む背景オブジェクトデータとに分離する分離工程と、前記欠落部分を含む背景オブジェクトデータに対して、前記背景オブジェクトデータとは別のフレームを用いて、前記欠落部分に相当する背景オブジェクトデータを生成し、前記生成された背景オブジェクトデータにより前記背景オブジェクトデータの欠落部分を補間する補間工程と、前記補間工程によって補間された前記背景オブジェクトデータを符号化する第１の符号化工程と、前記前景オブジェクトデータを符号化する第２の符号化工程とを有する点に特徴を有する。
【手続補正６】
【補正対象書類名】明細書
【補正対象項目名】００１２
【補正方法】変更
【補正の内容】
【００１２】
本発明によるコンピュータ読み取り可能な記憶媒体においては、上記に記載の画像処理方法をコンピュータに実行させるためのプログラムを記憶した点に特徴を有する。
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】